(57)【要約】【課題】  収納棚において、地震による物品の落下を堅牢な構造で確実に防止する。【解決手段】  収納棚１は、物品６を載せる上下複数段の棚枠５と、物品６を出し入れする開口部８とを備える。落下防止装置１０は、開口部８からの物品６の落下を防止する上下に長い落下防止枠１１と、落下防止枠１１を開口部８に臨む作用位置と開口部８を開く非作用位置とに左右へ移動可能に吊り下げるチェーン１２と、作用位置の落下防止枠１１を棚枠５の開口部側端部に保持する保持具２２とを備える。保持具２２に、落下防止枠１１が嵌合する横開きの凹部と、凹部に落下防止枠１１を閉じ込める錠止部材とを設ける。【選択図】        図１
2006271802.tif 000002
【特許請求の範囲】
【請求項１】
物品を載せる棚枠と物品を出し入れする開口部とを備えた収納棚において、開口部からの物品の落下を防止する上下に長い落下防止枠と、落下防止枠を開口部に臨む作用位置と開口部を開く非作用位置とに左右へ移動可能に支持する支持部材と、作用位置の落下防止枠を棚枠の開口部側端部に保持する保持具とを備えたことを特徴とする収納棚の落下防止装置。
【請求項２】
前記保持具に、落下防止枠が嵌合する横開きの凹部と、凹部に落下防止枠を閉じ込める錠止部材とを設けた請求項１記載の収納棚の落下防止装置。
【請求項３】
前記支持部材に、落下防止枠を吊り下げる索条を用いた請求項１又は２記載の収納棚の落下防止装置。
【請求項４】
前記索条と落下防止枠との結合部に、落下防止枠を左右へ移動する操作部材を連結した請求項３記載の収納棚の落下防止装置。
【発明の詳細な説明】
【技術分野】
【０００１】
本発明は、各種物品を載置して収納する収納棚（ラック）において、地震による物品の落下を防止するための落下防止装置に関する。
【背景技術】
【０００２】
従来、収納棚に収納した物品が地震により落下するのを防止するために、左右に長い落下防止枠を備えた落下防止装置が知られている。例えば、特許文献１には、収納棚本体に落下防止枠の左右両端を昇降可能に支持し、平常時に落下防止枠を棚枠の前端面に重なる非作用位置にロックし、震動感知器が動作したときにロック解除して、落下防止枠をスプリングで開口部に臨む作用位置まで引き上げる装置が記載されている。特許文献２には、震動感知器が動作したときに、落下防止枠を自重で作用位置に落下させる落下防止装置が記載されている。
【特許文献１】特開２００２−１１２８４５号公報
【特許文献２】特開２０００−２１０１４８号公報
【発明の開示】
【発明が解決しようとする課題】
【０００３】
ところが、従来の落下防止装置によると、左右に長い落下防止枠を両端で収納棚本体に支持しているため、特に、重量物を収納した収納棚の場合に、震動により迫り出した物品が落下防止枠を容易に破壊してしまうという問題点があった。また、落下防止枠は平常時に非作用位置に配置されているので、特に、製造工場等に設置された収納棚の場合に、長期間堆積した塵埃が落下防止枠の移動を妨げ、地震発生時に落下防止装置が動作しなくなる可能性があった。
【０００４】
本発明の目的は、上記課題を解決し、地震による物品の落下を堅牢な構造で確実に防止できる収納棚の落下防止装置を提供することにある。
【課題を解決するための手段】
【０００５】
上記の課題を解決するために、本発明の落下防止装置は、物品を載せる棚枠と物品を出し入れする開口部とを備えた収納棚において、開口部からの物品の落下を防止する上下に長い落下防止枠と、落下防止枠を開口部に臨む作用位置と開口部を開く非作用位置とに左右へ移動可能に支持する支持部材と、作用位置の落下防止枠を棚枠の開口部側端部に保持する保持具とを備えたことを特徴とする。
【０００６】
また、本発明の落下防止装置は、以下の特徴的手段を備えることが好ましい。
（１）保持具に、落下防止枠が嵌合する横開きの凹部と、凹部に落下防止枠を閉じ込める錠止部材とを設ける。錠止部材としては、特に限定されないが、ボルトやピンを例示できる。ピンを抜け止めする部材を設けてもよい。
（２）支持部材に、落下防止枠を吊り下げる索条を用いる。索条としては、特に限定されないが、チェーンやワイヤを例示できる。
（３）索条と落下防止枠との結合部又はその近傍に、落下防止枠を左右へ移動する操作部材を連結する。操作部材としては、特に限定されないが、ワイヤやロープ等の手動牽引部材、又はエアシリンダや電動ウインチ等の自動牽引部材を例示できる。
【０００７】
なお、収納棚に収納される物品は、特に限定されず、鋼板、板ガラス、木製パネル、部品箱、工具箱、機械等を例示できる。これらの物品を棚枠の上に直接載せてもよく、フォークリフトで荷扱いできるように、パレットを介して収納してもよい。落下防止枠には、震動で迫り出した物品によって変形しない程度の強度を備えた枠材、例えば、鋼製パイプ、鋼棒、アングル鋼、チャンネル鋼、帯鋼板、木製の角材、丸太等を使用できる。
【発明の効果】
【０００８】
本発明の落下防止装置によれば、上下に長い落下防止枠が保持具によって棚枠の開口部側端部に保持されているので、震動で迫り出した物品によって落下防止枠が破壊されるおそれがなく、堅牢な構造により物品の落下を確実に防止することができる。また、落下防止枠は平常時から作用位置に配置され、地震発生時に即座に機能するので、落下防止装置の信頼性が向上する。
【発明を実施するための最良の形態】
【０００９】
以下、本発明を実施するための最良の形態について説明する。図１に示す収納棚１は、物品６を載せる上下複数段の棚枠５と、物品６を出し入れする開口部８とを備える。落下防止装置１０は、開口部８からの物品６の落下を防止する上下に長い落下防止枠１１と、落下防止枠１１を開口部８に臨む作用位置と開口部８を開く非作用位置とに左右へ移動可能に吊り下げるチェーン１２（支持部材）と、作用位置の落下防止枠１１を棚枠５の開口部側端部に保持する保持具２２とを備える。保持具２２には、落下防止枠１１が嵌合する横開きの凹部と、凹部に落下防止枠１１を閉じ込める錠止部材とが設けられる。
【実施例】
【００１０】
次に、本発明の一実施例を図１〜図４に基づいて説明する。この実施例の収納棚１は、板金加工材料である物品６（鋼板）を収納する本体枠２を備えている。本体枠２は、四本の支柱３と天枠４とから直方体形に組み立てられている。本体枠４の内側には上下四段の棚枠５が所定の間隔をおいて水平に架設され、棚枠５の上に物品６を積載したパレット７が載置されている。本体枠２の前面及び後面には、フォークリフトでパレット７を出し入れするための開口部８，９が形成されている。
【００１１】
この実施例の落下防止装置１０は、本体枠２の直前及び直後に、開口部８，９からの物品６の落下を防止する落下防止枠１１を左右二本ずつ備えている。落下防止枠１１は、天枠３と最下段の棚枠５との距離より長い鋼製パイプで上下に長く形成され、上端にてチェーン１２により天井１３のブラケット１４に吊り下げられている。そして、チェーン１２が落下防止枠１１を開口部８，９に臨む作用位置（図１参照）と開口部８，９を開く非作用位置（図２参照）とに左右へ移動可能に支持している。
【００１２】
落下防止枠１１とチェーン１２との結合部には、落下防止枠１１を左右へ移動するワイヤ１６が連結されている。天枠４の四隅にはロッド１７が立設され、その上端にワイヤ１６を案内するプーリー１８が支持されている。ワイヤ１６の下端にはリング１９が形成され、支柱３にリング１９を引っ掛けるフック２０が突設されている。そして、ワイヤ１６を手動で牽引し、落下防止枠１１を支柱３側へ引き寄せ、リング１９をフック２０に引っ掛けて、落下防止枠１１を非作用位置に配置できるようになっている。
【００１３】
天枠４と各段の棚枠５の前端面及び後端面には、作用位置の落下防止枠１１を保持する保持具２２が設けられている。保持具２２は鋼製の角パイプで平面横コ字形に形成され（図４参照）、天枠４及び棚枠５に溶接又はボルトにより固定されている。保持具２２には、落下防止枠１１が嵌合する横開きの凹部２３と、落下防止枠１１を凹部２３に閉じ込める錠止ピン２４と、錠止ピン２４を抜け止めする板バネ２５とが設けられている。錠止ピン２４はＬ字形に折曲形成され、下側三段の保持具２２の穴２６に挿脱自在に取り付けられている。なお、上下三つの錠止ピン２４は散逸防止チェーン２７で相互に連結されている。手の届きにくい上側二段の保持具２２には錠止ピン２４が取り付けられていない。
【００１４】
この実施例の収納棚１においては、図１に示すように、平常時に落下防止枠１１が作用位置に配置され、天枠４と各段の棚枠５に保持具２２で保持されている。従って、地震発生時には、落下防止枠１１が即座に機能し、震動による物品６の迫り出しを規制し、棚枠５からの落下を防止することができる。しかも、上下に長い落下防止枠１１が五箇所にて保持具２２で拘束されているので、物品６が迫り出したときの衝撃で落下防止枠１１が破壊されるおそれがなく、堅牢な構造により物品６の落下を確実に防止することができる。
【００１５】
一方、収納棚１に物品６を出し入れする場合は、図２に示すように、錠止ピン２４を保持具２２から取り外し、ワイヤ１６を牽引して落下防止枠１１を非作用位置に引き寄せる。こうすれば、落下防止枠１１に妨げられることなく、物品６を容易に出し入れすることができる。作業完了後は、ワイヤ１６を緩めて落下防止枠１１を作用位置に戻し、保持具２２に保持して地震に備える。落下防止枠１１はチェーン１２で天井１３に吊り下げられているので、落下防止枠１１を自重により垂直姿勢に保ち、作用位置と非作用位置とにスムーズに平行移動することができる。
【００１６】
本発明は前記実施例に限定されるものではなく、例えば以下のように、発明の趣旨から逸脱しない範囲で適宜変更して具体化することもできる。
（１）図５に示すように、収納棚１が壁３０の近くに設置されている場合に、壁３０側の落下防止枠１１を省き、落下防止装置１０を前側二本の落下防止枠１１で構成すること。
（２）幅の狭い物品を収納する収納棚の場合に、落下防止枠の本数を三本、四本、五本又はそれ以上に増やすこと。
【００１７】
（３）落下防止枠１１をチェーン１２で吊り下げた落下防止装置１０において、ワイヤ１６をエアシリンダで牽引するか、あるいは、電動ウインチで巻き取ること。
（４）図６に示すように、落下防止枠１１の上下両端に台車３２を設け、支柱３の下端部と天枠４に左右に長いレール３３を敷設し、落下防止枠１１を台車３２を介しレール３３により左右へ移動可能に支持すること。
【図面の簡単な説明】
【００１８】
【図１】本発明の一実施例を示す収納棚の正面図である。
【図２】落下防止枠を非作用位置に配置した状態を示す収納棚の正面図である。
【図３】図１の収納棚の横断面図である。
【図４】図１の収納棚の落下防止装置を示す斜視図である。
【図５】落下防止装置の別の配置例を示す収納棚の横断面図である。
【図６】落下防止装置の変更例を示す収納棚の正面図である。
【符号の説明】
【００１９】
１    収納棚
２    本体枠
５    棚枠
６    物品
８    開口部（前）
９    開口部（後）
１０    落下防止装置
１１    落下防止枠
１２    チェーン
１６    ワイヤ
２２    保持具
２３    凹部
２４    錠止ピン
３２    台車
３３    レール
【図１】
2006271802.tif 000003
【図２】
2006271802.tif 000004
【図３】
2006271802.tif 000005
【図４】
2006271802.tif 000006
【図５】
2006271802.tif 000007
【図６】
2006271802.tif 000008